(57)【特許請求の範囲】
【請求項１】
接続すべきバスダクトの同相の導体に接触配置される導電性接続部材、バスダクトのダクト側板の内側に配置される継ぎ板、異相の導体間及び最外側導体と継ぎ板との間に配置される絶縁セパレータ、座金を介して一括緊締するための締着具を有し、該導体の端部を該導電性接続部材間に挿入嵌合して該締着具で緊締するバスダクト接続装置において、該継ぎ板の中央外側面に該ダクト側板の端部が当接する外向き凸部を形成し、該外向き凸部の幅は座金の幅より小さく、厚みは該ダクト側板の端部の厚み以上としたことを特徴とするバスダクト接続装置。
【請求項２】
接続すべきバスダクトのダクト側板の内側に配置される継ぎ板と、該バスダクトの異相の導体間及び最外側導体と継ぎ板との間に配置される絶縁セパレータと、座金を介して一括緊締するための締着具とを有し、該異相の導体間及び該最外側導体と該ダクト側板との間に該絶縁セパレータを挿入して該締着具で緊締する各相一括締付式のバスダクト接続装置に於いて、該継ぎ板の中央外側面に該ダクト側板の端部が当接する外向き凸部を形成し、該外向き凸部の幅は座金の幅より小さく、厚みは該ダクト側板の端部の厚み以上としたことを特徴とするバスダクト接続装置。
【請求項３】
前記締着具の締め付けにより、前記外向き凸部の外面と前記ダクト側板端部外面とが面一となって接続されることを特徴とする請求項１又は２記載のバスダクト接続装置。
【請求項４】
外向き凸部を継ぎ板を加工して形成した請求項１、２又は３記載のバスダクト接続装置。
【請求項５】
外向き凸部を継ぎ板の外側面に添着して形成した請求項１、２又は３記載のバスダクト接続装置。
【請求項６】
外向き凸部を複数に分割した請求項４又は５記載のバスダクト接続装置。
【発明の詳細な説明】
【０００１】
【発明の属する技術分野】
本発明はバスダクト、特に絶縁被覆導体密着型、または相間縮小型などの各相一括締付式のバスダクトの接続装置に関する。
【０００２】
【従来の技術】
上記形式のバスダクトには、同相の導体のための導電性接続部材、異相の導体相互間の絶縁セパレータ、最外側の導体とバスダクトの側板に係合する継ぎ板との間の絶縁セパレータ、平板状の継ぎ板、ばね座金、絶縁被覆付きの一括緊締用ボルトおよびナットから成る接続ユニットを、一方のバスダクトの端部に、継ぎ板をダクト側板端部の外側に位置させて挿入嵌着し、ダクト側板端部と継ぎ板の端部とをねじ部品で組み付ける。次いで対向接続する他方のバスダクトの端部を上記接続ユニットに、継ぎ板をダクト側板端部の外側に位置させて挿入嵌着し、ダクト側板端部と継ぎ板端部とをねじ部品で組み付ける。そして導電性接続部材、絶縁セパレータおよび継ぎ板を貫く上記ばね座金を介した緊締用ボルトおよびナットで一括緊締し、その接続部の対応開放面をカバー部材で覆う導体端部突き合わせ方式の接続装置がある（例えば実開昭５３−２８４９９号公報）。
【０００３】
【発明が解決しようとする課題】
上記従来のバスダクトの接続装置は、接続ユニットを仮締め状態とすると、接続ユニットを構成する導電性接続部材、絶縁セパレータ、平板状の継ぎ板，ばね座金、絶縁被覆付きの一括緊締用ボルトおよびナットの各々が、空隙を有することなく接した状態となり、接続ユニットのバスダクト接続端部への挿入や接続ユニットへのバスダクト接続端部の挿入が容易でなく、挿入・嵌着作業に多くの手間を要する。
【０００４】
ダクト側板端部と継ぎ板端部とをねじ部品で組み付ける際に、端部相互を固定する組み付けねじ部品用の穴が合わず、接続ユニットあるいは接続すべきバスダクトユニットの挿入寸法を調節する作業を要し、穴合わせに手間取っていた。
【０００５】
本発明は、従来の絶縁被覆導体密着型、相間縮小型等の各相一括締付け式・突き合わせ方式のバスダクトの接続装置における上記の問題に鑑み、バスダクト接続端部と接続ユニット相互を挿入・嵌合接続する際、接続ユニットに対するバスダクトの接続端部の挿入作業を容易にし、挿入寸法を規制して、ダクト側板端部と継ぎ板端部とをねじ部品で組み付ける作業を容易にし、バスダクトを真っ直ぐに正しく接続することができるバスダクト接続装置を提供することを目的とする。
【０００６】
【課題を解決するための手段】
本発明は、接続すべきバスダクトの同相の導体に接触配置される導電性接続部材、バスダクトのダクト側板の内側に配置される継ぎ板、異相の導体間及び最外側導体と継ぎ板との間に配置される絶縁セパレータ、座金を介して一括緊締するための締着具を有し、該導体の端部を該導電性接続部材間に挿入嵌合して該締着具で緊締するバスダクト接続装置において、該継ぎ板の中央外側面に該ダクト側板の端部が当接する外向き凸部を形成し、該外向き凸部の幅は座金の幅より小さく、厚みは該ダクト側板の端部の厚み以上としたことを特徴とするバスダクト接続装置である。
【０００７】
導電性接続部材は、接続すべきバスダクトの一対の端部における導体を電気的に接続するためのものであり、バスダクトが三相構造のものであれば、三相の導体の各端部間の同相の導体同志を導電性接続部材によって接触接続し、異相の導体間及び最外側の導体と継ぎ板との間は絶縁セパレータによって絶縁される必要がある。導体、導電性接続部材及び絶縁セパレータは積層配置され、それらが締着具によって一括緊締される際、継ぎ板の外側面と座金の座面との間に、ダクト側板の端部が挿入される間隙が形成され、外向き凸部によって、その左右に位置するダクト側板の端部の挿入寸法が所定距離に規制される。
【０００８】
【作用】
導電性接続部材、絶縁セパレータ、継ぎ板及びそれらを一括緊締する締着具からなる接続ユニットを締着具によって仮締め状態にすると、ばね性の座金が継ぎ板の中央のダクト幅方向（図１の上下方向）に形成した外向き凸部の上に位置し、継ぎ板の外側面と座金の座面間にバスダクトのダクト側板の端部を吸収する空隙が形成され、接続ユニットのバスダクト接続端部への挿入、接続ユニットへのバスダクト接続端部の挿入が容易となる。
【０００９】
バスダクトの接続におけるバスダクト接続端部への接続ユニットの挿入距離および接続ユニットへのバスダクト接続端部の挿入距離は、ダクト側板端縁部が接続ユニットの継ぎ板の中央のダクト幅方向に形成した外向き凸部の縁に当接することにより所定寸法に規制される。
【００１０】
締着具を圧縮締付けすると、外向き凸部およびバスダクトのダクト側板端部がばね部材に押圧されて継ぎ板面に接近し、外向き凸部の外面とダクト側板端部外面とは面一に一括緊締接続される。
【００１１】
【発明の実施の形態】
本発明に係るバスダクトの接続装置の実施例を以下のとおり図面に基づいて説明する。
【００１２】
図１は絶縁被覆導体密着形３線式の突き合わせ接続部の分解斜視図、図２はバスダクト接続の仮締め状態の平面図、図３は図２のＡ−Ａ矢視縦断面図である。
【００１３】
互いに接続するバスダクト２０、３０の対向端部において各バスダクトの隣り合う導体１０間、および最外側の導体とダクト側板１９の間に絶縁セパレータ１１、１１１及び導電性接続部材１２１が入る間隙を形成している。
【００１４】
ダクト側板１９の内面に重ねてねじ止めする継ぎ板１２と、絶縁セパレータ１１、１１１と、導電性接続部材１２１と、一括緊締用締着具としての皿ばね１４（ばね部材に相当）を介した絶縁被覆付きボルト１５およびナット２４とによって接続ユニット４０を構成している。そして接続ユニット４０は、継ぎ板１２・絶縁セパレータ１１・導電性接続部材１２１・皿ばね１４の各中央に挿通した絶縁被覆付きボルト１５及びナット２４の仮締めによって予め仮組みされている。バスダクト接続部の対応開放面はカバー部材２１でふさがれる。
【００１５】
上記継ぎ板１２は、図５に示す拡大斜視図のように、中央部の外側面に外向き凸部１３が形成され、その中央部にボルト挿通用の穴２５が形成されている。
【００１６】
外向き凸部１３は、ダクトの長手方向（図面左右方向）に対しては図５の２点鎖線で示される座金である皿ばねの幅１４１よりも小さい幅を有し、ダクトの幅方向（図面上下方向）に対しては少なくとも皿ばねの押圧力を受ける幅（外向き凸部の長さは座金の幅より大きい）を有し、かつダクト側板１９の板厚と同じかまたはそれよりも僅かに大きい高さを有する。
【００１７】
外向き凸部１３により、継ぎ板１２の外側面と皿ばね１４の座面との間には、外向き凸部１３の左右に位置する接続すべきバスダクトのダクト側板１９の端部が挿入される間隙が形成されると共に、その側板の端縁部の挿入寸法を所定距離に規制する。
【００１８】
図１、図２および図３に示されるように、所定間隔を置いて対向配置したバスダクトの端部相互の間に、仮組み状態ユニット４０を、継ぎ板１２の端部が両バスダクト２０、３０の側板１９の内面に重なるように置き、続いてその接続ユニット４０を一方のバスダクト２０の端部に向かって異相の導体間、および最外側導体と側板１９の間の間隙に絶縁セパレータ１１、１１１及び導電性接続部材１２１が入るように挿入し、接続ユニット４０の継ぎ板１２の外向き凸部１３の側縁がバスダクトの側板１９の端部に当接するまで挿入嵌合する。内外重なったバスダクトの側板１９と継ぎ板１２はビス１８で固定する。
【００１９】
次に一方のバスダクト２０に組み付けられた接続ユニット４０に向かって反対側のバスダクト３０を、向き合っている導電性接続部材１２１の間隙に各導体１０２が入るように挿入し、バスダクトの側板１９の端部が接続ユニット４０の継ぎ板１２の外向き凸部１３の側縁に当接するまで挿入嵌合する。継ぎ板１２と、その外面に重なったバスダクトの側板１９も、上記同様にビス１８で固定する。
【００２０】
上記において、両側バスダクトの側板１９の端部は、継ぎ板１２と皿ばね１４との間に位置し、その端縁部は前記外向き凸部１３の側縁に当接して、挿入寸法を所定距離に規制されている。
【００２１】
そして、ボルト１５を本締めすることにより、図４に示すように、接続ユニットを介してバスダクト接続部が一括緊締される。その時、継ぎ板１２の外向き凸部１３が皿ばね１４の圧縮力を受けて、左右のバスダクトの側板１９と面一状態になるまで撓む。即ち、上記ボルトを本締めしたときと、それ以前の仮締めの状態のときとでは、接続ユニットの両側に位置する皿ばね１４の座面間の幅が僅かではあるが異なる。このボルトの本締めの前後における接続ユニットの両側皿ばね座面間の距離の誤差は、外向き凸部１３が撓むことで自動的に吸収される。
【００２２】
接続が完了したバスダクトの接続部の対応開放面は、それぞれカバー部材２１をかぶせて塞ぐ。そのカバー部材２１は横断面略コ字形をしていてバスダクトの側面の外側に嵌まり、カバー部材２１の外側から穴を通してバスダクトの端部に設けたアース端子２３にねじ込むビス２２によって固定する。
【００２３】
図６（ａ）、（ｂ）および（ｃ）は、外向き凸部の別の実施例であり、図６（ａ）は、皿ばねの圧縮力を受ける部分１４１に対応して継ぎ板１２の部分にそれぞれ外向き凸部１３１、１３２を分割して形設した例を、図６（ｂ）は継ぎ板１２の高さ方向いっぱいに外向き凸部１３３を形設した例を、図６（ｃ）は図５に示す構成の外向き凸部１３の上方および下方に補助用の外向き凸部１３４、１３５を形設した例をそれぞれ示すものである。
【００２４】
上記各実施例における継ぎ板の外向き凸部は、継ぎ板１２を加工により切り起こして形設したが、継ぎ板１２の内面側から押し出して加工形設してもよい。
【００２５】
図７は、前記の継ぎ板１２自体から外向き凸部を形設するのに代えて、ダクト側板１９の板厚と同じかまたはそれよりも薄い別部材により外向き凸部を形成して、前記継ぎ板１２の外側面にスポット溶接、溶着などにより添着して、外向き凸部１３・１３６を形成した例を示すものである。
【００２６】
本発明は、図８に示すとおり、前述した導電性接続部材および絶縁セパレータを貫く一括緊締ボルトに代えて、導電性接続部材および絶縁セパレータを避けた導体の幅方向対称位置において継ぎ板１２に穴２９を設け、継ぎ板相互間に一対のボルト２８を挿通し、各継ぎ板の外側でそれら一対のボルトに共通に嵌めた板ばね（ばね座金に相当）２６を外向き凸部１３の外側から当接して緊締することにより、ダクト側板継ぎ板、導体の接続箇所および絶縁セパレータの三部材を一括して圧縮緊締する方式の接続装置にも適用できるものである。
【００２７】
【発明の効果】
１．接続ユニットを仮締め状態にすると、ばね座金が継ぎ板の中央のダクト幅方向に形成した外向き凸部の上に位置し、継ぎ板の外側面とばね座金の座面間にバスダクトのダクト側板端部を吸収する空隙が形成され、接続ユニットのバスダクト接続端部への挿入、接続ユニットへのバスダクト接続端部の挿入が容易となる。
【００２８】
２．バスダクト接続時におけるバスダクト接続端部への接続ユニットの挿入距離および接続ユニットへのバスダクト接続端部の挿入距離は、バスダクトのダクト側板端縁部が接続ユニットの中央のダクト幅方向に形成した外向き凸部の縁に当接することにより所定寸法に規制される。
【００２９】
３．締着具を圧縮締付けすると、外向き凸部およびバスダクトのダクト側板端部がばね部材に押圧されて継ぎ板面に接近し、外向き凸部の外面とダクト側板端部外面とは面一に一括緊締接続される。
【００３０】
従って、バスダクトおよび接続ユニット相互の接続作業が極めて能率的に、かつ正確に接続することができ、バスダクト電路を真っ直ぐに布設することができる。
【図面の簡単な説明】
【図１】本発明の一実施形態の分解斜視図
【図２】本発明におけるバスダクト接続部の仮締め状態を示す平面図
【図３】図２のＡ−Ａ線縦断面図
【図４】図３において締着具を緊締した状態の縦断面図
【図５】本発明の継ぎ板の斜視図
【図６】本発明の他の実施形態を示す斜視図
【図７】本発明の他の実施形態を示す斜視図
【図８】本発明の他の実施形態を示す斜視図
【符号の説明】
１０、１０１、１０２  導体
１１、１１１  絶縁セパレータ
１２  継ぎ板
１３  外向き凸部
１４  座金
１５、２８  ボルト
１６、１７  ビス穴
１８、２２、２３ビス
１９  側板
２０、３０  バスダクト
２１  カバー部材
２４  ナット
２５、２７、２９  ボルト穴
２６  板ばね
１３１〜１３６  外向き凸部
１２１  導電性接続部材
１４１  座金の幅
【図１】
0003593449.tif 000002
【図２】
0003593449.tif 000003
【図３】
0003593449.tif 000004
【図４】
0003593449.tif 000005
【図５】
0003593449.tif 000006
【図６】
0003593449.tif 000007
【図７】
0003593449.tif 000008
【図８】
0003593449.tif 000009